(57)【要約】  引手の倒伏姿勢のときには胴体の前後位置がロックされ、引手の起立姿勢のときにはロック解除され、一対の生地の損傷をできる限り抑えることを目的とする。  本発明の隠しスライドファスナー用スライダーは、胴体、引手、ロック部材を備える。胴体は、下翼板、上翼板、案内柱、下翼板の左右から上方に突出する一対の側板、一対の側板の上端部から左右内側に延びる一対のフランジ、上翼板から上方に隆起する隆起部を備える。胴体とロック部材とは協働して引手取付部を形成する。引手取付部は左右に貫通する軸孔を備える。軸孔の下面は隆起部の上面を含むと共に、一対のフランジの上面よりも上方に位置する。後側への倒伏姿勢の引手と一対のフランジとの上下間には、一対のテープの上側に固定された一対の生地を収容すると共に隆起部によって左右に仕切られた一対の生地収容空間部が形成される。
2020161848.tif 000002
【特許請求の範囲】
【請求項１】
左右に対向する一対のテープ（４，４）と一対の当該テープ（４，４）の対向する側縁部のうち下側に折り返された一対のテープ折返し部（４ｂ，４ｂ）に対して下側に固定された一対のエレメント列（５，５）とを案内する胴体（７）、
前記胴体（７）に対する後側への倒伏姿勢によって前記胴体（７）の前後への移動を規制すると共に起立姿勢によって前記胴体（７）の前後への移動を規制解除する引手（９）、
一対の前記エレメント列（５，５）に対して接触することによって前記胴体（７）の前後位置をロックすると共に前記胴体（７）と協働して前記引手（９）の後側への倒伏姿勢と起立姿勢を維持するロック部材（８）を備え、
前記胴体（７）は、下翼板（７１）、前記下翼板（７１）の前部において対向する上翼板（７２）、前記上翼板（７２）と前記下翼板（７１）とを接合する案内柱（７３）、前記下翼板（７１）の左右両端部から上方に突出する一対の側板（７４，７４）、一対の前記側板（７４，７４）の上端部から左右内側に延びる一対のフランジ（７５，７５）、前記上翼板（７２）から上方に隆起する隆起部（７６）を備え、
前記引手（９）は、前記ロック部材（８）に係り合うカム部（９１ａ）を有する軸（９１）を備え、
前記胴体（７）と前記ロック部材（８）とは協働して引手取付部（３１）を形成し、
前記引手取付部（３１）は、前記軸（９１）を支持すると共に左右方向に貫通する軸孔（３２）を備え、
前記軸孔（３２）の下面は、前記隆起部（７６）の上面を含むと共に、一対の前記フランジ（７５，７５）の上面よりも上方に位置し、
後側への倒伏姿勢の前記引手（９）と一対の前記フランジ（７５，７５）との上下間には、一対の前記テープ（４，４）の上側に固定された一対の生地（６，６）を収容すると共に前記隆起部（７６）によって左右に仕切られた一対の生地収容空間部（３３，３３）が形成されることを特徴とする隠しスライドファスナー用スライダー。
【請求項２】
一対のフランジ（７５，７５）の上面に対して真上範囲（７５Ｒ，７５Ｒ）は、前記引手（９）に対して下側に一対の前記生地収容空間部（３３，３３）のみを備えることを特徴とする請求項１に記載の隠しスライドファスナー用スライダー。
【請求項３】
前記胴体（７）は、前記一対のフランジ（７５，７５）と前記上翼板（７２）との間にテープ溝（７ｂ）の一対の分岐路（７ｅ，７ｅ）を備え、
一対の前記分岐路（７ｅ，７ｅ）に対して真上範囲（７Ｒ，７Ｒ）は、前記引手（９）に対して下側に一対の前記生地収容空間部（３３，３３）のみを備えることを特徴とする請求項２に記載の隠しスライドファスナー用スライダー。
【請求項４】
前記胴体（７）は、前記隆起部（７６）から前後に間隔をあけて上方に突出する前取付柱（７７）および後取付柱（７８）を備え、
前記ロック部材（８）は前記前取付柱（７７）と前記後取付柱（７８）とに架設されるものであり、
前記引手取付部（３１）は前記ロック部材（８）と前記前取付柱（７７）と前記後取付柱（７８）と前記隆起部（７６）との協働によって形成されるものであることを特徴とする請求項１，２又は３に記載の隠しスライドファスナー用スライダー。
【請求項５】
前記引手（９）は、前記軸（９１）の両端部から前記軸（９１）を中心とする半径方向に延びる一対の棒部（９２，９２）、一対の前記棒部（９２，９２）を前記軸（９１）とは反対側で接合する摘まみ部（９３）、一対の前記棒部（９２，９２）から前記軸（９１）に対して前記摘まみ部（９３）とは反対側にそれぞれ突出する一対の突出部（９４，９４）を備え、
一対の前記突出部（９４，９４）は、前記引手（９）の後側への倒伏姿勢の場合に前記前取付柱（７７）を挟むものであり、前記引手（９）が左右方向に傾いた場合には前記前取付柱（７７）に衝突するものであることを特徴とする請求項４に記載の隠しスライドファスナー用スライダー。
【請求項６】
前記隆起部（７６）は、前記軸孔（３２）よりも前側において前記前取付柱（７７）に対して段差状に張り出す段差部（７６ａ）であって前側への倒伏姿勢となった前記引手（９）に衝突して引手（９）の前側への倒伏姿勢を定める前記段差部（７６ａ）を備えることを特徴とする請求項４又は５に記載の隠しスライドファスナー用スライダー。
【請求項７】
前記カム部（９１ａ）と前記軸孔（３２）とは、前記引手（９）の後側への倒伏姿勢の場合に面接触する平面部（９１ｄ，３２ａ）をそれぞれ備えることを特徴とする請求項１〜６の何れかに記載の隠しスライドファスナー用スライダー。
【請求項８】
前記引手（９）は後側への倒伏姿勢の場合において前記軸孔（３２）の前記下面よりも上方に位置することを特徴とする請求項１〜７の何れかに記載の隠しスライドファスナー用スライダー。
【発明の詳細な説明】
【技術分野】
【０００１】
本発明は、生地の厚み方向の裏面側にスライダーの胴体が隠され、生地の厚み方向の表面側にスライダーの引手が表れる、隠しスライドファスナー用スライダーに関するものである。
【背景技術】
【０００２】
スライドファスナー用スライダーには自動停止機能を備えたものが存在する。自動停止機能を備えるスライドファスナー用スライダーは、二種類存在する。【０００３】
そのうちの一種類目は俗にオートマチックスライダーと称されるものである。これは、引手に対する引張り操作の有無によって、一対のエレメント列に対するロック部材の接触および離隔が切り替わるものである。その切り替わりによって胴体の前後方向への移動が規制されたり、規制解除されたりする。より詳しくは、オートマチックスライダーの機能は二つある。第一の機能は、引手から手を離すことによってロック部材が一対のエレメント列に自動的に接触し、その結果、スライダーの前後位置がロックされ、スライダーが移動し難くなるという機能である。第二の機能は、引手を引っ張ることによってロック部材が一対のエレメント列から離隔し、その結果、ロック解除され、スライダーが移動しやすくなるという機能である。【０００４】
また自動停止機能を備えるスライドファスナー用スライダーの二種類目は、俗にセミオートマチックスライダーと称されるものである。これは、胴体に対する引手の姿勢によって、一対のエレメント列に対するロック部材の接触および離隔が切り替わるものである。より詳しくは、セミオートマチックスライダーの機能は、引手に対する引張り操作とは無関係に胴体に対する引手の倒伏姿勢のときにはスライダーの前後位置がロックされ、胴体に対する引手の起立姿勢のときにはロック解除されるものである。【０００５】
特許文献１にはオートマチックスライダーが開示されている。これは、胴体の上面に一対のテープ溝を備えているので、隠しスライドファスナー用スライダーである。より詳しくは以下の通りである。【０００６】
このオートマチックスライダーは、胴体と、胴体の前後位置をロック可能であると共に胴体の上部に対して前後に固定されたロック部材と、胴体とロック部材によって取り付けられると共に前後に回動可能に且つ左右に揺動可能な引手とを備える。【０００７】
胴体の上部は、左右のフランジ、左右のフランジの間に配置された上翼板、上翼板と左右の各フランジと間に形成された一対のテープ溝を備える。一対のテープ溝にはテープが通される。テープは、フランジの下面・上面に対向するように折り曲げられ、上面に対向する部分に生地が固定される。そして一対の生地は胴体の上面の左右側部を覆い隠すようになっている。したがって特許文献１のオートマチックスライダーは隠しスライドファスナー用スライダーである。【０００８】
また胴体とロック部材とは協働して引手取付部を形成している。そして引手取付部はその内側に引手の連結環を通す孔を備えている。この孔の下面はフランジの上面よりも低い構成である。またフランジの上方にはテープを介して生地が配置される。そして引手を引っ張ってスライダーを移動させようとすると、連結環が引き上げられてフランジの上面よりも上方に浮き、一対の生地が引手（連結環）によって損傷しないようにしてある。【０００９】
特許文献２，３にはセミオートマチックスライダーが開示されている。これは、胴体の左右の側面にテープ溝を備えるので、隠しスライドファスナー用スライダーではない。より詳しくは以下の通りである。【００１０】
このセミオートマチックスライダーは、胴体と、軸を中心にして前後に回動可能な引手と、胴体の上部における前部に固定されると共に軸のカム部によって上下に変位するロック部材とを備えるものである。また胴体は、上下に対向する上翼板と下翼板の左右縁部同士の間、つまり左右の側面にテープ溝を備えるものである。そしてテープ溝には一対のテープが通され、一対のテープに対してテープ溝よりも左右外側に一対の生地が固定される。そうすると、一対の生地の間に胴体の上面全部が露出しており、生地によって胴体の上面が全く隠されていないので、特許文献２，３に開示されたセミオートマチックスライダーは、隠しスライドファスナー用スライダーではない。
【先行技術文献】
【特許文献】
【００１１】
【特許文献１】特許６２７３３７１号公報
【特許文献２】特許６１２５０１３号公報
【特許文献３】国際公開第２０１６/０９２６３７号
【発明の概要】
【発明が解決しようとする課題】
【００１２】
前述したように特許文献２，３に開示されたスライダーはセミオートマチックスライダーではあるが、隠しスライドファスナー用ではない。また特許文献１に開示されたスライダーは前述したようにオートマチックスライダーであり、セミオートマチックスライダーではない。そこで本発明者はセミオートマチックスライダーの機能（引手に対する引張り操作とは無関係に引手の胴体に対する倒伏姿勢のときにはスライダーの前後位置がロックされ、胴体に対する引手の起立姿勢のときにはロック解除される機能）を保持する隠しスライドファスナー用スライダーの開発に着手した。【００１３】
ちなみに、特許文献１に開示されたスライダーの胴体とロック部材と、特許文献２に開示されたスライダーの引手とを単純に組み合わせて、スライダーを形成した場合を考えてみる。そうすると、この場合のスライダーは隠しスライドファスナー用スライダーにはなるが、引手が一対の生地に常時接触するので、一対の生地が損傷しやすい。つまり特許文献１のスライダーは、引手取付部の孔の下面がフランジの上面よりも低くなっている。そうすると、引手取付部の孔の下面に軸の下面を押し付けようとロック部材が作用するので、軸を含む引手が一対のフランジに接近して一対の生地に接触する。【００１４】
本発明の隠しスライドファスナー用スライダーは上記実情を考慮して創作されたもので、その目的はセミオートマチックスライダーの機能を保持しながらも、一対の生地の損傷をできる限り抑えることである。
【課題を解決するための手段】
【００１５】
本発明の隠しスライドファスナー用スライダーは、胴体、引手、ロック部材を備える。  胴体は、左右に対向する一対のテープと、一対のエレメント列とを案内する。一対のエレメント列は、一対のテープの対向する側縁部のうち下側に折り返された一対のテープ折返し部に対して下側に固定されたものである。また胴体は、下翼板、下翼板の前部において対向する上翼板、上翼板と下翼板とを接合する案内柱、下翼板の左右両端部から上方に突出する一対の側板、一対の側板の上端部から左右内側に延びる一対のフランジ、上翼板から上方に隆起する隆起部を備える。
引手は、胴体に対する後側への倒伏姿勢によって胴体の前後への移動を規制すると共に起立姿勢によって胴体の前後への移動を規制解除する。また引手はロック部材に係り合うカム部を有する軸を備える。
ロック部材は、一対のエレメント列に対して接触することによって胴体の前後位置をロックすると共に胴体と協働して引手の後側への倒伏姿勢と起立姿勢を維持する。
そして胴体とロック部材とは協働して引手取付部を形成する。引手取付部は、軸を支持すると共に左右に貫通する軸孔を備える。軸孔の下面は、隆起部の上面を含むと共に、一対のフランジの上面よりも上方に位置する。
そのうえで後側への倒伏姿勢の引手と一対のフランジとの上下間には一対の生地収容空間部が形成される。一対の生地収容空間部は、一対のテープの上側に固定された一対の生地を収容すると共に隆起部によって左右に仕切られる。【００１６】
また一対のフランジの上面に対して真上範囲は次のようにすることが望ましい。
すなわち一対のフランジの上面に対して真上範囲は、引手に対して下側に一対の生地収容空間部のみを備えることである。【００１７】
また胴体は次のようにすることが望ましい。
すなわち胴体は、一対のフランジと上翼板との間にテープ溝の一対の分岐路を備えるものとする。そして一対の分岐路に対して真上範囲は、引手に対して下側に一対の生地収容空間部のみを備えることである。【００１８】
また胴体、ロック部材、引手取付部は次のようにすることが望ましい。
すなわち、胴体は、隆起部から前後に間隔をあけて上方に突出する前取付柱および後取付柱を備えるものとする。またロック部材は前取付柱と後取付柱とに架設されるものとする。そして引手取付部はロック部材と前取付柱と後取付柱と隆起部との協働によって形成されるものとする。【００１９】
また詳しく言えば、引手は軸の他に、軸の両端部から軸を中心とする半径方向に延びる一対の棒部、一対の棒部を軸とは反対側で接合する摘まみ部を備えるものである。そして引手は、一対の棒部から軸に対して摘まみとは反対側にそれぞれ突出する突出部を備えるか否かを問わないが、後側への倒伏姿勢の場合に引手の左右方向への傾きをできるだけ小さくするには次のようにすることが望ましい。
すなわち引手は、一対の棒部から軸に対して摘まみ部とは反対側にそれぞれ突出する一対の突出部を備えるものとする。そして一対の突出部は、引手の後側への倒伏姿勢の場合に前取付柱を挟むものであり、引手が左右方向に傾いた場合には前取付柱に衝突するものにする。【００２０】
また引手は前側への倒伏姿勢を保持できるか否かを問わないが、引手による生地の損傷をできるだけ抑えるには次のようにすることが望ましい。
すなわち隆起部は、軸孔よりも前側において前取付柱に対して段差状に張り出す段差部を備えるようにする。そして段差部は前側への倒伏姿勢となった引手に衝突して引手の前側への倒伏姿勢を定める。【００２１】
またカム部と軸孔とは引手の後側への倒伏姿勢の場合に面接触するか否かは問わない。しかしカム部と軸孔以外の部分で引手の後側への倒伏姿勢を維持しようとすると、スライダーが大型化するので望ましくない。したがってスライダーを小型化して一対の生地に対して表側に現れる部分をできるだけ小さくするには次のようにすることが望ましい。
すなわちカム部と軸孔とは引手の後側への倒伏姿勢の場合に面接触する平面部をそれぞれ備えることである。【００２２】
また後側への倒伏姿勢の場合において引手は軸孔の下面よりも下方に位置する部分を含むものであっても良いが、一対の生地収容空間部の上下方向の寸法をできるだけ広くするには次のようにすることが望ましい。
すなわち引手は後側への倒伏姿勢の場合において軸孔の下面よりも上方に位置することである。
【発明の効果】
【００２３】
本発明のスライダーは、上翼板の上に隆起部を備え、軸孔の下面を隆起部によって一対のフランジの上面よりも上方に位置するようにしてあるので、例えば軸孔の下面を一対のフランジの上面よりも下方に位置するスライダーに比べれば、引手が一対の生地に接触し難くなり、一対の生地の損傷を抑えられる。【００２４】
また本発明のスライダーは、一対のフランジの上面に対して真上範囲には、引手に対して下側に一対の生地収容空間部のみを備えるものとした場合には、例えば隆起部が一対のフランジの上面に対して真上範囲に張り出すものと比べれば、引手が一対の生地に接触し難くなり、一対の生地の損傷を抑えられる。【００２５】
また本発明のスライダーは、一対の分岐路に対して真上範囲には、引手に対して下側に一対の生地収容空間部のみを備えるものとした場合には、例えば隆起部が一対の分岐路に対して真上範囲に張り出すものと比べれば、引手が一対の生地に接触し難くなり、一対の生地の損傷を抑えられる。【００２６】
また本発明のスライダーは、引手に一対の突出部を備えるものとした場合には、後側への倒伏姿勢の場合に一対の突出部が前取付柱を挟むので、引手の左右方向への傾きをできるだけ小さくでき、引手の倒伏姿勢が安定したものとなる。【００２７】
また本発明のスライダーは、隆起部に段差部を備えるものとした場合には、引手の前側への倒伏姿勢の場合に一対の生地収容空間部を保持できるので、一対の生地の損傷を抑えることができる。【００２８】
また本発明のスライダーは、カム部と軸孔とが引手の後側への倒伏姿勢の場合に面接触する平面部をそれぞれ備えるものとした場合には、たとえば引手の後側への倒伏姿勢を維持する部分をカム部と軸孔以外の部分に備えるスライダーに比べれば、スライダーを小型化して一対の生地に対して表側に現れる部分をできるだけ小さくできる。【００２９】
また本発明のスライダーは、後側への倒伏姿勢の引手を軸孔の下面よりも上方に位置するものとした場合には、例えば後側への倒伏姿勢の引手を軸孔の下面よりも下方に位置する部分を含むようにしたスライダーに比べれば、一対の生地収容空間部の上下方向の寸法をできるだけ広くすることができ、一対の生地の損傷をより抑えることができる。
【図面の簡単な説明】
【００３０】
【図１】本発明の第一実施形態の隠しスライドファスナー用スライダーを示す平面図である。
【図２】第一実施形態の隠しスライドファスナー用スライダーを示す右側面図である。
【図３】第一実施形態の隠しスライドファスナー用スライダーを示す正面図である。
【図４】図１のIV−IV線断面図である。
【図５】図１のV−V線断面図である。
【図６】引手の起立姿勢を示す断面図である。
【図７】図６のVII−VII線断面図である
【図８】引手の前側への倒伏姿勢を示す断面図である。
【図９】組立前の胴体を示す平面図である。
【発明を実施するための形態】
【００３１】
隠しスライドファスナー１は図５に示すように、一対のファスナーストリンガー２，２と、一対のファスナーストリンガー２，２を開閉するスライダー３を備えるものである。
【００３２】
一対のファスナーストリンガー２，２は、対向する一対のテープ４，４と、一対のテープ４，４の対向する側縁部に別々に固定された一対のエレメント列５，５とを備えるものである。ちなみに図示の例ではエレメント列５は、モノフィラメントをコイル状に曲げ、そのコイルの一巻分のエレメントが多数連続するものである。
【００３３】
また図５に示す隠しスライドファスナー１は、一対のテープ４，４の対向する側縁部を折り返して、その折返し部分に一対のエレメント列５，５を固定したものである。より詳しく言えば、一対のテープ４，４は長手方向と厚み方向に直交するものである。そして一対のテープ４，４は、表側の一対のテープ本体４ａ，４ａと、一対のテープ本体４ａ，４ａのうち対向する側縁部に対して連続すると共に裏側に折り返された一対のテープ折返し部４ｂ，４ｂとを備える。そしてテープ折返し部４ｂの裏面側にエレメント列５が図示しない縫糸によって固定されている。
【００３４】
また一対のテープ本体４ａ，４ａの表側には、隠しスライドファスナー１の取付対象である一対の生地６，６がその対向する側縁部を裏側に折り返して図示しない縫糸によって固定されている。より詳しく言えば、一対の生地６，６は、対向する表側の一対の生地本体６ａ，６ａと、一対の生地本体６ａ，６ａのうち対向する側縁部に対して連続すると共に裏側に折り返された一対の生地折返し部６ｂ，６ｂとを備える。
【００３５】
以下では、互いに直交する三本の直線方向を用いて、方向を定める。
第１の直線方向は、一対のファスナーストリンガー２，２を対向させる方向、言い換えれば一対のエレメント列５，５が対向する方向であり、左右方向と言う。ちなみにファスナーストリンガー２（テープ４）は表裏重なるように折り返した帯状であり、その帯幅方向が左右方向である。左右方向とは、図５の左右方向である。
第２の直線方向は、一対のファスナーストリンガー２，２の長手方向、言い換えればファスナーストリンガー２の延長する方向であり、前後方向と言う。
前方向とは、一対のファスナーストリンガー２，２を閉じるときに（一対のエレメント列５，５を噛合させるときに）スライダー３を移動させる方向である。前方向とは、図５の紙面に対して直交する方向のうち奥を向く方向である。
後方向とは一対のファスナーストリンガー２を開くときに（一対のエレメント列５，５を分離させるときに）スライダー３を移動させる方向である。後方向とは図５の紙面に対して直交する方向のうち手前を向く方向である。
第３の直線方向は、ファスナーストリンガー２の厚み方向、言い換えればテープ４の厚み方向であり、上下方向と言う。上方向とは、図５の上方向である。下方向とは、図５の下方向である。
【００３６】
本発明の第一実施形態のスライダー３は図１又は図５に示すように、一対のテープ折返し部４ｂ，４ｂと一対のエレメント列５，５とを案内する胴体７と、胴体７の一対のエレメント列５，５に対して接触および離隔可能であり且つ接触することによって胴体７の前後位置をロックするロック部材８と、ロック部材８と胴体７とによって前後方向に回動可能なように胴体７に取り付けられる引手９とを備える。
【００３７】
引手９は、軸９１、軸９１の延びる方向に対向すると共に軸９１の両端部からその半径方向に延びる一対の棒部９２，９２、一対の棒部９２，９２を軸９１とは反対側で接合すると共に操作するときに摘まむ摘まみ部９３と、一対の棒部９２，９２から軸９１に対して摘まみ部９３とは反対側にそれぞれ突出する一対の突出部９４，９４とを備える。図８に示すように引手９は回動範囲の前側の限界位置に達したときに胴体７に対して倒伏して安定した姿勢、すなわち前側への倒伏姿勢となり、軸９１側に対して摘まみ部９３側が上方に位置する傾斜状態になっている。また図４に示すように引手９は回動範囲の後側への限界位置に達したときに胴体７に対して倒伏して安定した姿勢、すなわち後側への倒伏姿勢となる。また後側への倒伏姿勢の引手９は、前後方向に対して平行な状態である。また図６，７に示すように引手９は回動範囲の途中で胴体７に対して起立して安定した姿勢、すなわち起立姿勢となる。
【００３８】
図４に示すように引手９の後側への倒伏姿勢の場合に棒部９２と突出部９４は軸９１の下端９１Ｂ以上の高さとなっている。また図２に示すように引手９の後側への倒伏姿勢の場合に摘まみ部９３の下端９３Ｂは引手９の下端９Ｂよりも上方に位置する。
また図８に示すように引手９の前側への倒伏姿勢の場合に棒部９２の一部と突出部９４の一部は軸９１の下端９１Ｂよりも低い高さとなっている。また図１に示すように一対の棒部９２，９２と軸９１と摘まみ部９３とは協働して環状となる。そして環状の内側には貫通穴９ａが形成される。
【００３９】
軸９１は、引手９が回動するときの中心になるもので、左右方向に延びる。軸９１はその長手方向（左右方向）の中間部をロック部材８に係り合うカム部９１ａとするものである。また軸９１はカム部９１ａに対して左右両側の部分を引手９の回動時に後述する引手取付部３１の軸孔３２に支持される一対の軸本体部９１ｂ，９１ｂとしてある。カム部９１ａは軸９１の中心線に対して一定でない外周を有するものである。また図４に示すようにカム部９１ａはその外周面には、一対の軸本体部９１ｂ，９１ｂの外周面を延長した仮想面に対して軸９１の半径方向に凹んだカム凹部９１ｃを備えている。
【００４０】
図１〜５に示すように胴体７は、下翼板７１、下翼板７１の前部において下翼板７１の幅中央部に対向する上翼板７２、上翼板７２と下翼板７１とを接合すると共に上下方向に延びる案内柱７３、下翼板７１の左右両端部から上方に突出する一対の側板７４，７４、一対の側板７４，７４の上端から左右内側に接近するように延びる一対のフランジ７５，７５、上翼板７２から上方に隆起する隆起部７６、隆起部７６から前後に間隔をあけて上方に突出する前取付柱７７および後取付柱７８を備える。なお胴体７のうち下翼板７１と上翼板７２と案内柱７３と一対の側板７４，７４と一対のフランジ７５，７５とを備える部分は、胴部とも称され、一対の生地６，６の裏側に配置される部分である。
【００４１】
また胴体７は、空間部として、その前後面には前後方向に貫通すると共に一対のエレメント列５，５を通すエレメント路７ａを備え、その上面には前後方向に貫通する状態でエレメント路７ａに通じると共に一対のテープ４，４を通すテープ溝７ｂを備えるものである。
エレメント路７ａは、胴体７の前部において左右に分岐した一対の分岐路７ｃ，７ｃと、胴体７の後部において一対の分岐路７ｃ，７ｃが合流して一本となった合流路７ｄとを備える。
図９に示すようにテープ溝７ｂも、胴体７の前部において左右に分岐した一対の分岐路７ｅ，７ｅと、胴体７の後部において一対の分岐路７ｅ，７ｅが合流して一本となった合流路７ｆとを備える。
【００４２】
また胴体７とエレメント列５との関係は以下のようになっている。図５に示すように下翼板７１の上面は一対のエレメント列５，５の下側を案内する。一対の側板７４，７４の内側面（左右に対向する面）は一対のエレメント列５，５の左右外側を案内する。案内柱７３の側面は一対のエレメント列５，５の左右内側を案内する。一対のフランジ７５，７５の上面は一対のテープ本体４ａ，４ａの下側を案内する。ちなみに一対のフランジ７５，７５の上面は水平面となっている。また一対のエレメント列５，５の上側（上面）は、左右外側には一対のテープ折返し部４ｂ，４ｂが固定され、左右内側には何も固定されていない。そして一対のフランジ７５，７５の下面は一対のテープ折返し部４ｂ，４ｂの上側を案内し、上翼板７２の下面は一対のエレメント列５，５の上側を案内する。また上翼板７２の下面は一対のフランジ７５，７５の下面よりも下方に位置する。このようにして一対のエレメント列５，５と一対のテープ折返し部４ｂ，４ｂを胴体７が案内することから、スライダー３内を摺動する一対のストリンガー２，２の姿勢が安定する。
また平面視すると、図９に示すように一対のフランジ７５，７５の後部間にはテープ溝７ｂの合流路７ｆが形成され、一対のフランジ７５，７５の前部と上翼板７２との間にはテープ溝７ｂの一対の分岐路７ｅ，７ｅが形成される。
【００４３】
上翼板７２は前後方向に延びるものである。図９に示すように上翼板７２の前部は一対のフランジ７５，７５に対して前側に位置する。また上翼板７２の後部は、案内柱７３の後方に延び、一対のフランジ７５，７５の間であって且つテープ溝７ｂの一対の分岐路７ｅ，７ｅの間に存在する。図４に示すように上翼板７２の下面（下端７２Ｂ）は一対のフランジ７５，７５の下面（下端７５Ｂ）よりも下方に位置する。また上翼板７２と隆起部７６が上下に連続しているので、上翼板７２と隆起部７６との境界を視認することはできないが、便宜上、上翼板７２の上面（上端７２Ｔ）の高さは一対のフランジ７５，７５の上面（上端７５Ｔ，７５Ｔ）に一致するものとする。このような上翼板７２の上面に対して上側に隆起しているのが隆起部７６である。したがって隆起部７６は、一対のフランジ７５，７５の上面に対して上側の部分であって、後述する軸孔３２の下面に対してその下面を含む下側の部分である。
【００４４】
図５に示すように隆起部７６は左右方向に関して一対のフランジ７５，７５の間に形成される。より詳しく言えば、隆起部７６は上翼板７２の左右両端の範囲内に形成されている。言い換えると、隆起部７６はテープ溝７ｂの一対の分岐路７ｅ，７ｅに対して左右内側の範囲に形成されている。また図４に示すように隆起部７６の上面の前部からは前取付柱７７が突出し、隆起部７６の上面の後部からは後取付柱７８が突出する。また図１，５に示すように左右方向に関して前取付柱７７と後取付柱７８は、隆起部７６の左右両端の範囲内に形成され、より詳しく言えば本実施形態では隆起部７６の左右両端よりも内側に形成される。
また図７に示すように引手９の起立姿勢の場合に隆起部７６は引手９の一対の突出部９４，９４に隙間を介して挟まれるように形成されている。したがって起立姿勢の引手９を左右方向に傾けようとすると、一対の突出部９４，９４のうち一方が隆起部７６に衝突しし、それを阻止する。
また隆起部７６ではないが、図１に示すように引手９の後側への倒伏姿勢の場合に前取付柱７７は引手９の一対の突出部９４，９４に隙間を介して挟まれるように形成されている。したがって後側への倒伏姿勢の引手９を左右方向に傾けようとしても、一対の突出部９４，９４のうち一方が前取付柱７７に衝突し、それを阻止する。
また隆起部７６ではないが、引手９の前側への倒伏姿勢の場合に前取付柱７７は引手９の一対の棒部９２，９２に隙間を介して挟まれるように形成されている。したがって前側への倒伏姿勢の引手９を左右方向に傾けようとしても、一対の棒部９２，９２が前取付柱７７に衝突し、それを阻止する。
また図４に示すように前方向に関して前取付柱７７は、隆起部７６の前端よりも後側に形成される。したがって隆起部７６は前取付柱７７に対して前側に段差状に張り出す段差部７６ａを備える。段差部７６ａは前取付柱７７よりも前側において軸孔３２の下面よりも隆起している。また図２に示すように段差部７６ａは前取付柱７７に対して左右両側にも段差状に張り出している。しかも段差部７６ａは前取付柱７７と後取付柱７８との間の部分に対しても段差状に左右両側に張り出している。
そして段差部７６ａには前側に倒伏した引手９が載る。段差部７６ａは前取付柱７７よりも前側の部分が最も高く形成されており、その前側の部分に前側に倒伏した引手９が接触することにより、引手９の回動範囲の前側への限界位置が定まり、引手９は前側への倒伏姿勢になる。
【００４５】
図１，４に示すように前取付柱７７は、その上面の幅中央部にロック部材８の前部を収容する前収容溝７７ａを備える。前取付柱７７は、前収容溝７７ａの底面を形成する前底部７７ｂと、前収容溝７７ａの左右側面を形成すると共に前底部７７ｂに対して左右両側から上方に突出する一対の前方側壁部７７ｃ，７７ｃと、一対の前方側壁部７７ｃ，７７ｃの上端から接近するように左右内側にそれぞれ突出すると共にロック部材８の前部を上から覆う一対の前凸部７７ｄ，７７ｄとを備える。
【００４６】
後取付柱７８はその上面の幅中央部にロック部材８の後部を収容する後収容溝７８ａを備える。後取付柱７８は、後収容溝７８ａの底面を形成する後底部７８ｂと、後収容溝７８ａの左右側面を形成すると共に後底部７８ｂに対して左右両側から上方に突出する一対の後方側壁部７８ｃ，７８ｃと、一対の後方側壁部７８ｃ，７８ｃの上端から接近するように左右内側にそれぞれ突出する一対の後凸部７８ｄ，７８ｄとを備える。
【００４７】
隆起部７６と前取付柱７７と後取付柱７８とは協働して、左右方向に貫通すると共に上方向に開口する開口部（符号省略）を形成する。ちなみにこの開口部の上側は図１，２に示すように、前取付柱７７の上部と後取付柱７８との上部に架設されたロック部材８に覆われる。そして開口部とロック部材８とによって引手９を胴体７に取り付ける（連結する）引手取付部３１が形成される。
【００４８】
引手取付部３１は側面視して環状であり、その環状の内側に引手９の軸９１を支持する軸孔３２を備える。軸孔３２は左右方向に貫通している。
【００４９】
また図４に示すように引手９の後側への倒伏姿勢の場合に、その倒伏姿勢を安定させるために軸孔３２とカム部９１ａとは、面接触する平面部３２ａ，９１ｄをそれぞれ備える。軸孔３２の平面部３２ａは、軸孔３２の下面であり、前取付柱７７と後取付柱７８との間の上面である。カム部９１ａの平面部９１ｄは、引手９の後側への倒伏姿勢の場合における下面部である。そして軸孔３２の平面部３２ａとカム部９１ａの平面部９１ｄとは上下方向に直交する平面となっている。
【００５０】
また軸孔３２の下面（隆起部７６の上面）は引手９の軸９１（カム部９１ａの平面部９１ｄ）が載る面である。なお引手９の後側への倒伏姿勢の場合に引手９のカム部９１ａの平面部９１ｄ（軸９１の下端９１Ｂ）は隆起部７６の上面（上端７６Ｔ）に重なり合って載る。そして後側への倒伏姿勢の引手９の下端は軸９１である。したがって後側への倒伏姿勢の引手９は軸孔３２の下面よりも上方に位置する。ちなみに、後側への倒伏姿勢における引手９の摘まみ部９３は、操作性を考慮して、軸９１の下面よりも上方に位置する。したがって引手９の後側への倒伏姿勢の場合に摘まみ部９３の下端９３Ｂは引手９のカム部９１ａの平面部９１ｄよりも上方に位置する。また、引手９の後側への倒伏姿勢の場合に、摘まみ部９３の下端９３Ｂによって、引手９のカム部９１ａの平面部９１ｄの下端９１Ｂと水平な線であって、引手９のカム部９１ａの平面部９１ｄの下端９１Ｂよりも上方に位置する仮想線が定義される。この仮想線とフランジ７５，７５の上面との間に、後述する生地収容空間部３３が形成される。
【００５１】
またカム部９１ａは、引手９の後側への倒伏姿勢の場合に平面部９１ｄに対して前側に別の平面部９１ｅを備える。この平面部９１ｅは前後方向に直交する平面であり、図６に示すように引手９の起立姿勢を安定させるものである。
【００５２】
このように引手９の起立姿勢および後側への倒伏姿勢の場合に、軸孔３２とカム部９１ａが面接触することによって、その姿勢は安定したものとなり、その安定した姿勢をロック部材８が維持する。
【００５３】
また図４に示すように軸孔３２の下面は隆起部７６の上面であり、フランジ７５の上面よりも上方に位置する。言い換えれば隆起部７６は、その上面（軸孔３２の下面）がフランジ７５の上面よりも上方に位置するような厚みを有するように形成される。図５に示すように一対のフランジ７５，７５と引手９との間には、一対の生地６，６を収容する一対の生地収容空間部３３，３３が隆起部７６に対して左右両側に仕切られた状態で形成される。
【００５４】
図５に示すように生地収容空間部３３の上限位置は引手９の下面によって確定される。生地収容空間部３３の下限位置は一対のフランジ７５，７５の上面とテープ溝７ｂの一対の分岐路７ｅ，７ｅの上面とによって確定される。なお一対の分岐路７ｅ，７ｅの上面の高さは、一対のフランジ７５，７５の上面（上端７５Ｔ）に一致するものとする。生地収容空間部３３の左右方向の内側の限界位置が隆起部７６の左右方向の側面によって確定される。ちなみに生地収容空間部３３の左右方向の外側の限界位置は確定されない。
【００５５】
そして一対のフランジ７５，７５の上面に対して真上範囲７５Ｒ，７５Ｒは、引手９に対して下側に一対の生地収容空間部３３，３３のみを備える。言い換えれば、当該真上範囲７５Ｒ，７５Ｒは、一対のフランジ７５，７５の上端７５Ｔと引手９の下端９Ｂとの間に一対の生地収容空間部３３，３３のみを備える。したがって一対のフランジ７５，７５の上面に対して真上範囲７５Ｒ，７５Ｒに存在する有体物は引手９のみである。そのため、スライダー３をファスナーストリンガー２に取り付けていないとき、引手９を後側に倒伏させた状態で、真上範囲７５Ｒ，７５Ｒにおいて引手９とフランジ７５，７５の上面とが対面している。また隆起部７６は一対のフランジ７５，７５の上面に対して真上範囲７５Ｒ，７５Ｒに存在しない。
また図７に示すように一対の分岐路７ｅ，７ｅに対して真上範囲７Ｒ，７Ｒは、引手９に対して下側に一対の生地収容空間部３３，３３のみを備える。これは、前述したように隆起部７６が上翼板７２の左右両端の範囲内に形成されていることによる。したがって一対の分岐路７ｅ，７ｅの上面に対して真上範囲７Ｒ，７Ｒに存在する有体物は、引手９のみである。また隆起部７６は一対の分岐路７ｅ，７ｅの上面に対して真上範囲７Ｒ，７Ｒに存在しない。
【００５６】
またフランジ７５に対して上側にはテープ本体４ａが配置されることから、生地収容空間部３３には生地６だけでなくテープ本体４ａも収容される。より詳しく言えば、生地収容空間部３３には、対向する側縁部が裏側に折り返されて二重になった生地６とフランジ７５の上面側に位置するテープ本体４ａとが収容される。
一対の生地収容空間部３３，３３の上下間隔は、引手９と一対のフランジ７５，７５との上下間隔であり、その最短距離は２ｍｍ以上に設定することが望ましい。ちなみに図７に示すように引手９の起立姿勢の場合、一対の突出部９４，９４は軸９１よりも下方に位置しており、図４に示すように引手９の後側への倒伏姿勢の場合、軸９１の下端９１Ｂと一対の棒部９２，９２の下端と一対の突出部９４，９４の下端はいずれも同じ高さとなっており、図８に示すように引手９の前側への倒伏姿勢の場合、一対の突出部９４，９４の下端および一対の棒部９２，９２の下端は軸９１の下端９１Ｂよりも下方に位置している。どのような姿勢であっても、生地収容空間部３３は２ｍｍ以上に設定することが望ましい。ちなみに本実施形態では一対の生地収容空間部３３，３３は左右対称である。
また生地収容空間部３３をできるだけ大きくするために、図５に示すように引手９の後側への倒伏姿勢の場合における一対の棒部９２，９２は、下面のうち軸９１とは反対側の部分に、軸９１から離れるにつれて上方へ向かう第１の斜面９５，９５をそれぞれ備える。また図示しないが、第１の斜面９５は突出部９４にも連続して形成される。
また生地収容空間部３３をできるだけ大きくするために、図７に示すように引手９の起立姿勢の場合における一対の突出部９４，９４は、下面のうち軸９１とは反対側の部分に、軸９１から離れるにつれて上方へ向かう第２の斜面９６，９６をそれぞれ備える。一対の第２の斜面９６，９６は一対の棒部９２，９２にも連続して形成される。
【００５７】
ロック部材８は、前述したように一対のエレメント列５，５に対して接触することによって一対のエレメント列５，５に対する胴体７の前後位置をロックし、その反対に一対のエレメント列５，５に対して離隔することによって一対のエレメント列５，５に対する胴体７の前後位置をロック解除する。またロック部材８は、金属板を所定形状に折り曲げたもので、いわゆる板バネである。図４に示すようにロック部材８は、上下に対向する上板８１および下板８２と、上板８１と下板８２の前端同士を接合する接合板８３と、上板８１の後端から下方に延びると共に後取付柱７８の後収容溝７８ａの後部に挿入する挿入板８４と、下板８２の後端から下方に延びる爪板８５とを備える。
【００５８】
接合板８３は前方に向かって膨らむ形状、より詳しく言えば円弧状に湾曲したものである。
【００５９】
上板８１はその前後方向の両端を結ぶ仮想の直線よりも、前後方向の中間が上方に位置する形状をしたものである。また上板８１は側面から見て湾曲した板である。より詳しく言えば側面から見て上板８１は、その前後方向の全長のうち前部と後部とを直線部とし、その前後方向の中間部を前後の直線部に対し湾曲する状態で滑らかに連続する湾曲部とするものである。また後部の直線部は、前部の直線部を後方に向かって延長した仮想の直線よりも下側に位置するものである。また湾曲部の前後の両端に対する接線方向は、前後の直線部の延びる方向に一致する。
上板８１の前部は、前収容溝７７ａに収容され、その左右両側と下側を一対の前方側壁部７７ｃ，７７ｃによって支えられ、その上側を一対の前凸部７７ｄ，７７ｄによって押さえられている。上板８１の下側を支えるために一対の前方側壁部７７ｃ，７７ｃの下部は、一対の前方側壁部７７ｃ，７７ｃの上部に対して左右内側に接近するようにそれぞれ張り出す一対の棚部７７ｅ，７７ｅとなっている。一対の棚部７７ｅ，７７ｅの上には上板８１が載せられる。
ちなみに上板８１の上側は一対の前凸部７７ｄ，７７ｄだけでなく、一対の前方側壁部７７ｃ，７７ｃによっても押さえられている。そのために図５に示すように一対の前方側壁部７７ｃ，７７ｃの上端部はそれよりも下側に対して上板８１を上方から覆う状態に曲がっている。
【００６０】
下板８２もその前後方向の両端を結ぶ仮想の直線よりも前後方向の中間が上方に位置する形状をしたものである。また下板８２は側面から見て屈曲した板である。より詳しく言えば側面から見て下板８２は、その前後方向の前部と後部とを直線部とし、前部の直線部と後部の直線部とを屈曲する状態で連続するものである。下板８２の前部の直線部は前方に向かうにつれて下方に向かう。下板８２の後部の直線部は後方に向かうにつれて下方に向かう。また下板８２は引手９の軸９１のカム部９１ａの上に載り、その復元力によってカム部９１ａを上から押さえるものである。
また引手９の後側への倒伏姿勢の場合、下板８２は軸９１の上面であるカム凹部９１ｃを上から押さえ、軸９１ひいては引手９の倒伏姿勢を安定させる。さらに引手９の姿勢が後側への倒伏姿勢と起立姿勢との間の姿勢である場合、下板８２はその復元力によりカム部９１ａを上から押さえ、引手９を後側への倒伏姿勢となるように押し込む。なお引手９の起立姿勢および前側への倒伏姿勢の場合においても、下板８２はその復元力によりカム部９１ａを上から押さえ、それらの姿勢を安定させる。
【００６１】
爪板８５の先部（下部）は胴体７のエレメント路７ａに突入するものである。そのために後取付柱７８と隆起部７６と上翼板７２には後収容溝７８ａとエレメント路７ａ（合流路７ｄ）とに通じると共に上下方向に貫通する爪孔７ｈが形成される。爪孔７ｈには爪板８５が収容される。
またロック部材８の下板８２と軸９１のカム部９１ａとの係り方によって、爪板８５の先部がエレメント路７ａに突入する量（長さ）は変化する。
図４に示すように引手９の後側への倒伏姿勢の場合、爪板８５の先部はエレメント路７ａに深く挿入され、図示しないエレメント列に挿入されて接触し、それによって一対のエレメント列に対する胴体７の前後位置をロックし、スライダー３の前後方向への移動を規制する。
図６に示すように引手９の起立姿勢の場合、爪板８５の先部はエレメント路７ａに挿入されないように離隔して爪孔７ｈ内に収容され、それによって一対のエレメント列に対する胴体７の前後位置をロック解除し、スライダー３の前後方向への移動を規制解除する。
図８に示すように引手９の前側への倒伏姿勢の場合、爪板８５の先部はエレメント路７ａに挿入されないように離隔して爪孔７ｈに収容され、それによってスライダー３を前後方向への移動を規制解除する。
【００６２】
挿入板８４は後収容溝７８ａのうち爪孔７ｈに対して後方に収容される。
【００６３】
上記した第一実施形態のスライダー３は以下の効果を有する。
スライダー３は、引手９の胴体７に対する起立姿勢および前側への倒伏姿勢および後側への倒伏姿勢によって胴体７の前後方向への移動を規制したり、規制解除したりするものである。また図４，５に示すようにスライダー３は、隆起部７６を上翼板７２の上に備えることによって、引手９と一対のフランジ７５，７５との上下間隔を広げてある。そしてスライダー３は、一対の生地収容空間部３３，３３を引手９と一対のフランジ７５，７５との上下間において隆起部７６によって左右に仕切られたものとしてあるので、一対の生地６，６に対して表側には引手９と前取付柱７７と後取付柱７８とロック部材８とが現れるものとなる。
またスライダー３は、軸孔３２の下面を隆起部７６によって一対のフランジ７５，７５の上面よりも上方に位置するようにして一対の生地収容空間部３３，３３が形成されるので、例えば軸孔の下面を一対のフランジの上面よりも下方に位置するスライダーに比べれば、引手９が一対の生地６，６に接触し難くなり、一対の生地６，６の損傷を抑えられる。また引手９が一対の生地６，６に接触しないことは、スライダー３の前後方向への移動の規制が解除されるのを防止することである。仮に引手９が一対の生地６，６に接触すると、引手９が起立姿勢に近くなり、爪板８５の先部がエレメント路７ａに突出しなくなり、スライダー３の前後方向への移動の規制が解除される。
【００６４】
またスライダー３は、一対のフランジ７５，７５の上面に対して真上範囲７５Ｒ，７５Ｒには、引手９に対して下側に一対の生地収容空間部３３，３３のみを備えるので、例えば隆起部７６が一対のフランジ７５，７５の上面に対して真上範囲７５Ｒ，７５Ｒに張り出すものと比べれば、引手９が一対の生地６，６に接触し難くなり、一対の生地６，６の損傷を抑えられる。より詳しく言えばスライダー３は、一対の分岐路７ｅ，７ｅに対して真上範囲には、引手９に対して下側に一対の生地収容空間部３３，３３のみを備えるので、例えば隆起部７６が一対の分岐路７ｅ，７ｅに対して真上範囲７Ｒ，７Ｒに張り出すものと比べれば、引手９が一対の生地６，６に接触し難くなり、一対の生地６，６の損傷を抑えられる。
【００６５】
またスライダー３は、カム部９１ａと軸孔３２とが引手９の後側への倒伏姿勢の場合に面接触する平面部９１ｄ，３２ａをそれぞれ備えるので、たとえば引手の後側への倒伏姿勢を維持する部分をカム部９１ａと軸孔３２以外の部分に備えるスライダーに比べれば、スライダー３を小型化して一対の生地６，６に対して表側に現れる部分をできるだけ小さくできる。
【００６６】
またスライダー３は、後側への倒伏姿勢の引手９を軸孔３２の下面よりも上方に位置するものとしてあるので、たとえば後側への倒伏姿勢の引手（より詳しくは引手の下面）を軸孔３２の下面よりも下方に位置する部分を含むようにしたスライダーに比べれば、一対の生地収容空間部３３，３３の上下方向の寸法をできるだけ広くすることができ、引手９が一対の生地６，６に接触し難くなり、その結果、一対の生地６，６の損傷をより抑えることができる。しかも一対の第１の斜面９５，９５によって、一対の生地収容空間部３３，３３を広げてあるので、一対の生地６，６の損傷をより抑えることができる。
【００６７】
またスライダー３は、引手９の後側への倒伏姿勢の場合に一対の突出部９４，９４が前取付柱７７を隙間を介して挟むようになっているので、引手９を左右方向に傾けると、一方の突出部９４が前取付柱７７に衝突し、それによって引手９の左右方向への傾きをできるだけ小さくでき、引手９の後側への倒伏姿勢が安定したものとなる。
【００６８】
また図７に示すようにスライダー３は、引手９の起立姿勢の場合に引手９の一対の突出部９４，９４が隆起部７６を隙間を介して挟むようになっているので、引手９を左右方向に傾けようとすると、一方の突出部９４，が隆起部７６に衝突し、それによって引手９の左右方向への傾きをできるだけ小さくでき、引手９の起立姿勢が安定したものとなる。
【００６９】
またスライダー３は、引手９の前側への倒伏姿勢の場合に段差部７６ａの上に引手９が載るようにしてあるので、引手９の前側への倒伏姿勢が安定するし、一対の生地収容空間部３３，３３を保持できるので、一対の生地６，６の損傷を抑えることができる。しかも一対の第２の斜面９６，９６によって、一対の生地収容空間部３３，３３を広げてあるので、一対の生地６，６の損傷をより抑えることができる。
またスライダー３は、引手９の前側への倒伏姿勢の場合に引手９の前端部を軸９１の下端よりも上方に位置するものとしているので、一対の生地収容空間部３３，３３よりも引手９の前端部が高くなり、引手９を操作しやすくなる。
さらにスライダー３は、引手９の前側への倒伏姿勢の場合に引手９の一対の棒部９２，９２が前取付柱７７を隙間を介して挟むようにしてあるで、引手９を左右方向に傾けようとすると、一対の棒部９２，９２が前取付柱７７に衝突し、それによって引手９の左右方向への傾きをできるだけ小さくでき、引手９の前側への倒伏姿勢が安定したものとなる。
【００７０】
本発明は上記実施形態に限定されるものではなく、その趣旨を逸脱しない範囲において適宜変更可能である。例えばスライダー３は、上記実施形態ではロック部材８の前部と後部の両方を胴体７に固定し、引手９を引手取付部３１のみで支持するものであったが、本発明ではこれに限らず、たとえばロック部材の前部を胴体に固定すると共に、後部を上下方向に変位可能に保持し、引手取付部に対して左右に形成された一対の補強部と引手取付部とによって引手を支持するものであっても良い。この場合、ロック部材は、上下に対向するように折り曲げられたものではなく、胴体の前部から後部に向かって上下方向に折り曲げられたものとする。またこの場合、引手取付部は隆起部とロック部材によって形成される。またこの場合、各補強部は、引手取付部に対して左または右において前後に間隔をあけて上翼板から上方に突出する一対の柱部を備えるものである。そして引手を胴体に取り付ける前段階では一対の柱部の上部の間隔は軸の直径よりも離隔し、それによって軸を一対の柱部に対して上方から落とすようにして挿入できるようにしておく。また軸を一対の柱部に対して挿入した後段階では、一対の柱部の上部を互いに接近するように塑性変形させることによって、一対の柱部の上部の間隔は軸の直径よりも狭くなり、それによって軸を一対の柱部に対して上方に移動できないようにする。
【符号の説明】
【００７１】
１  隠しスライドファスナー
２  ファスナーストリンガー
３  スライダー
３１  引手取付部
３２  軸孔
３２ａ  平面部
３３  生地収容空間部
４  テープ
４ａ  テープ本体
４ｂ  テープ折返し部
５  エレメント列
６  生地
６ａ  生地本体
６ｂ  生地折返し部
７  胴体
７ａ  エレメント路
７ｂ  テープ溝
７ｃ，７ｅ  分岐路
７ｄ，７ｆ  合流路
７ｈ  爪孔
７Ｒ  分岐路に対して真上範囲
７１  下翼板
７２  上翼板
７２Ｔ  上翼板の上端
７２Ｂ  上翼板の下端
７３  案内柱
７４  側板
７５  フランジ
７５Ｂ  フランジの下端
７５Ｒ  フランジの上面に対して真上範囲
７５Ｔ  フランジの上端
７６  隆起部
７６Ｔ  隆起部の上端
７６ａ  段差部
７７  前取付柱
７７ａ  前収容溝
７７ｂ  前底部
７７ｃ  前方側壁部
７７ｄ  前凸部
７７ｅ  棚部
７８  後取付柱
７８ａ  後収容溝
７８ｂ  後底部
７８ｃ  後方側壁部
７８ｄ  後凸部
８  ロック部材
８１  上板
８２  下板
８３  接合板
８４  挿入板
８５  爪板
９  引手
９ａ  貫通穴
９Ｂ  引手の下端
９１  軸
９１ａ  カム部
９１ｂ  軸本体部
９１ｃ  カム凹部
９１ｄ，９１ｅ  平面部
９１Ｂ  軸の下端（カム部の平面部の下端）
９２  棒部
９３  摘まみ部
９３Ｂ  摘まみ部の下端
９４  突出部
９５  第１の斜面
９６  第２の斜面
【図１】
2020161848.tif 000003
【図２】
2020161848.tif 000004
【図３】
2020161848.tif 000005
【図４】
2020161848.tif 000006
【図５】
2020161848.tif 000007
【図６】
2020161848.tif 000008
【図７】
2020161848.tif 000009
【図８】
2020161848.tif 000010
【図９】
2020161848.tif 000011
【国際調査報告】
2020161848.tif 000012
2020161848.tif 000013
2020161848.tif 000014
2020161848.tif 000015